(57)【要約】【課題】制御装置側から、マウスポインタ等でクリック、ドラッグすることでユーザが任意にその子画面位置や大きさを制御できるようにすること。【解決手段】映像信号を重ね合わせて表示する位置の制御を行う制御手段１１ａと、受信した映像信号を重ね合わせて表示する表示手段２２ａを有する表示装置２ａとの通信をする通信手段１５ａとを備え、前記制御手段１１ａは、前記通信手段１５ａを介して、前記表示手段２２ａが表示する位置、該表示の有無の制御を行う。【選択図】        図１
2006049935.tif 000002
【特許請求の範囲】
【請求項１】
映像信号を重ね合わせて表示する位置の制御を行う制御手段と、
映像信号を重ね合わせて表示する表示手段を有する表示装置との通信をする通信手段とを備え、
前記制御手段は、前記通信手段を介して、前記表示手段が表示する位置、該表示の有無の制御を行うことを特徴とした映像制御機能を備える制御装置。
【請求項２】
前記制御手段は、前記通信手段を介して、前記表示手段が表示する映像画素データとバックグラウンドの制御装置からの画素データとを重み付け加算して表示する制御を行うことを特徴とした請求項１記載の映像制御機能を備える制御装置。
【請求項３】
映像信号の受像手段を備え、
前記制御手段は、前記通信手段を通して、前記表示手段が表示する映像と制御装置からの映像の信号とで、一つの画面に２つの異なる映像を同時に表示することを特徴とした請求項１又は２記載の映像制御機能を備える制御装置。
【請求項４】
前記映像信号の受像手段で受信した映像データを録画する格納手段と、
前記録画した映像データを再生する再生手段とを備え、
前記制御手段は、前記通信手段を通して、前記表示手段が表示する映像と制御装置からの前記再生映像の信号とで、一つの画面に２つの異なる映像を同時に表示することを特徴とした請求項１〜３のいずれかに記載の映像制御機能を備える制御装置。
【請求項５】
映像信号を重ね合わせて表示する表示手段を有する表示装置と通信する通信手段と、
前記通信手段を介して、前記表示手段が表示する位置、制御を行う制御手段として、コンピュータを機能させるためのプログラム。
【発明の詳細な説明】
【０００１】
【発明の属する技術分野】本発明は、コンピュータの信号とテレビ信号を受像して表示することのできるテレビ制御機能を備えるコンピュータ及びプログラムに関する。
【０００２】
【従来の技術】従来のテレビ表示機能を備えたコンピュータにおいて、一つの表示画面に親子画面を表示することが行なわれている。例えば、親画面にパーソナルコンピュータ（以下、ＰＣという）からの信号による画面を表示し、子画面に受像したテレビ信号による画面を表示する。この親子画面の表示関係は、親画面にテレビ信号による画面を表示し、子画面にＰＣからの信号による画面を表示する等、自由に変更できる。
【０００３】
また、子画面位置は、変更したり移動したりすることが可能なものがあったが、その変更、移動操作は、ディスプレイに具備された操作ボタンや、赤外線リモコンなどから行うのが一般的であって、その操作方法及び手段は煩雑且つ制限が多いものであった。（特許文献１、特許文献２参照）。
【０００４】
【特許文献１】
特開平８−２０２３２１号公報
【０００５】
【特許文献２】
特開平８−１１１８２２号公報
【０００６】
【発明が解決しようとする課題】上記従来のものは、次のような課題があった。
【０００７】
（１）：子画面位置は、その変更、移動操作は、ディスプレイに具備された操作ボタンや、赤外線リモコンなどから行うのが一般的であって、その操作方法及び手段は煩雑且つ制限が多いものであった。例えば、子画面にテレビ信号による映像を表示している時、ＰＣ側から子画面の位置をマウス等で親画面の自由な位置に移動することが難しいものであった。
【０００８】
（２）：子画面に隠された親画面は、子画面を動かさないで確認することはできないものであった。
【０００９】
（３）：現状のＰＣでのテレビ機能は、さまざまな制約から一度に一つの受信画像しか表示できないものであった。
【００１０】
本発明はこのような従来の課題を解決し、制御装置側から、マウスポインタ等でクリック、ドラッグすることでユーザーが任意にその子画面位置や大きさを制御できるようにすること、及び、子画面で隠された親画面を容易に確認でき、また、一意の制御装置操作により、２つの番組を同時に表示することができ、番組の録画をすることも可能にすることを目的とする。
【００１１】
【課題を解決するための手段】図１は本発明の原理説明図である。図１において、１ａはコンピュータ、２ａは表示装置、１０ａはテレビ信号の受像手段、１１ａはＰＩＰ制御手段、１５ａは通信手段、２０ａは録画・再生手段、２１は画面、２２ａはＰＩＰ表示手段、３３ａはコンピュータ入力手段、３４はテレビ入力手段である。
【００１２】
本発明は、上記従来の課題を解決するため次のような手段を有する。
【００１３】
（１）：テレビ信号（映像信号）を重ね合わせて表示する位置の制御を行うＰＩＰ制御手段１１ａ（制御手段）と、受信したテレビ信号を重ね合わせて表示するＰＩＰ表示手段２２ａ（表示手段）を有する表示装置２ａとの通信をする通信手段１５ａとを備え、前記ＰＩＰ制御手段１１ａは、前記通信手段１５ａを介して、前記ＰＩＰ表示手段２２ａが表示する位置の制御を行う。このため、コンピュータ（制御装置）側から、マウスポインタ等でクリック、ドラッグすることでユーザが任意にそのＰＩＰ画面（子画面）位置や大きさを制御することができる。
（２）：前記（１）のコンピュータにおいて、前記ＰＩＰ制御手段１１ａは、前記通信手段１５ａを通して、前記ＰＩＰ表示手段２２ａが表示するテレビ映像画素データ（映像画素データ）とバックグラウンドのコンピュータ（制御装置）からの画素データとを重み付け加算して表示する制御を行う。このため、ＰＩＰ子画面で隠された親画面（バックグラウンド）を容易に確認することができる。
【００１４】
（３）：前記（１）又は（２）のコンピュータにおいて、テレビ信号（映像信号）の受像手段１０ａを備え、前記ＰＩＰ制御手段１１ａは、前記通信手段１５ａを介して、前記ＰＩＰ表示手段２２ａが表示するテレビ映像とコンピュータ（制御装置）からのテレビ映像（映像）の信号とで、一つの画面に２つの異なるテレビ番組（映像番組）を同時に表示する。このため、一意のＰＣ操作により、２つのテレビ番組を同時に表示することができる。
【００１５】
（４）：前記（１）〜（３）のコンピュータ（制御装置）において、前記テレビ信号（映像信号）の受像手段１０ａで受信した映像データを録画する格納手段と、前記ＰＩＰ録画した映像データを再生する再生手段とを備え、前記ＰＩＰ制御手段１１ａは、前記通信手段１５ａを通して、前記ＰＩＰ表示手段２２ａが表示するテレビ映像とコンピュータ（制御装置）からの前記再生テレビ映像の信号（再生映像信号）とで、一つの画面に２つの異なるテレビ番組を同時に表示する。このため、２つのテレビ番組を同時に表示することができ、さらにテレビ番組を録画することも可能になる。
【００１６】
【発明の実施の形態】本発明は、パーソナルコンピュータ（ＰＣ）等のＲＧＢ（Red,Green,Blue）信号と、テレビ信号を受像し表示することのできるテレビ制御機能を備えるコンピュータであって、ＰＣ側から、テレビ兼ディスプレイ装置（モニタ）の画面をマウスポインタ等でクリック、ドラッグ等を行うことでユーザーが任意にその子画面位置や大きさを制御できるようにするものである。また、テレビ兼ディスプレイ装置にテレビチューナを備え、ＰＣ側が起動されていなくても、テレビ兼ディスプレイ装置の電源が入っていればテレビ映像を見ることができるものである。
【００１７】
（１）：テレビ制御機能を備えるコンピュータの説明
図２はテレビ制御機能を備えるパーソナルコンピュータの説明図である。図２において、テレビ制御機能を備えるコンピュータには、パーソナルコンピュータ（ＰＣ；パソコン）本体１、テレビ兼ＰＣディスプレイ装置２、マウス３、キーボード４、テレビアンテナ５、ディスプレイコネクタ６が設けてある。ＰＣ本体１には、アプリケーションソフト１１、オペレーティングシステム（ＯＳ）１２、グラフィックコントローラ１３が設けてある。また、テレビ兼ＰＣディスプレイ装置２には、液晶パネル２１、画像合成処理部２２、マイコン２３、ＡＤコンバータ２６、テレビチューナ２７、ビデオデコーダ・ＡＤコンバータ２８が設けてある。なお、画像合成処理部２２には、ＰＣ画面３１に縮小したテレビ画面３２を重ね合わせた画面が示されている。
【００１８】
ＰＣ本体１は、主に個人での利用を目的に作られたコンピュータの本体（ハードディスク装置、ＣＤ−ＲＯＭ装置、フロッピ・ディスク装置等を含む）部分である。テレビ兼ＰＣディスプレイ装置２は、放送局からのテレビ電波を受信して画面に表示すると共に、ＰＣから入力された情報も画面に表示できるものである。マウス３は、ディスプレイ画面上の矢印（マウスポインタ）を移動させボタンを操作することにより情報の入力を行なうポインティングデバイスである。キーボード４は、キーにより情報の入力を行なうものである。テレビアンテナ５は、テレビ電波を受信するアンテナである。ディスプレイコネクタ６は、ＰＣ本体１とテレビ兼ＰＣディスプレイ装置２が通信するための通信手段である。
【００１９】
アプリケーションソフト１１は、ターゲットとなるウインドウの座標を監視し、その場所にテレビ映像のＰＩＰ（テレビ信号を縮小して重ね合わせる機能；Picture in Picture）ウインドウが常にぴったりとはめ込まれるように制御するものである。ＯＳ１２は、コンピュータを動作させるために不可欠な制御プログラムであり、対象ウインドウの監視を行うものである。グラフィックコントローラ１３は、画像データの制御及びＰＩＰウインドウの座標制御コマンドの送信を行なうものであり、通常ハードウェアで構成される。
【００２０】
液晶パネル２１は、液晶を使用する画面表示手段である。なお、液晶パネル２１の代わりに、ＣＲＴ（陰極線管）ディスプレイ、プラズマディスプレイ等の他の画面表示手段を用いることもできる。画像合成処理部２２は、テレビ信号を縮小してＰＣ表示画面に重ね合わせる処理を行なうものである。マイコン２３は、ＰＣ側からの指示に従って画像合成処理部２２の画像合成の処理の制御を行なうものである。ＡＤコンバータ２６は、グラフィックコントローラ１３からのアナログのＲＧＢ信号をデジタルのＲＧＢ信号に変換するものである。テレビチューナ２７は、テレビアンテナ５からのテレビ信号の選択を行なうものである。ビデオデコーダ・ＡＤコンバータ２８は、テレビ信号の録画又は再生、及びアナログのテレビ信号をデジタルのテレビ信号に変換するものである。
【００２１】
（動作説明）
ＰＣ本体１のアプリケーション（アプリケーションソフト）１１は、常にアプリケーションウインドウ（テレビ画面３２）の座標（枠部分）をＯＳ１２のアプリケーションインタフェース（ＡＩＰ）を通じて監視するものである。図２では、テレビ兼ＰＣディスプレイ装置２との通信手段（ディスプレイコネクタ６等）として、ＲＧＢ信号のためのＶＧＡコネクタ（ＶＥＳＡ(Video Electronics Standard Association)スタンダードに規定されている）に含まれるＤＤＣ(DisplayＤＥＴＡ Channel）のライン上で、やはりＶＥＳＡ規格によって規定されるＤＤＣ−２ｂｉ規格にのっとったコマンドセットを用いている。テレビ兼ＰＣディスプレイ装置２内のマイコン２３は、該装置内のＰＩＰ画像合成処理手段である画像合成処理部２２を、前記通信手段を通じて得た制御信号に応動して制御せしめ、ＰＣ側からのテレビ表示をＰＩＰウインドウとして、ＰＣ表示の中の前記ウインドウにはめ込んで表示する。このため、テレビ兼ＰＣディスプレイ装置２の側で受信したテレビ画像を、あたかもＰＣのアプリケーションウインドウの一つであるかのように、その位置、大きさなどをマウス等の入力手段を介して自由に変化させることが可能になる。
【００２２】
（２）：ＰＣアプリケーションからテレビ兼ＰＣディスプレイ装置への制御コマンドの流れの説明
図３はＰＣアプリケーションからテレビ兼ＰＣディスプレイ装置への制御コマンドの流れの説明図である。図３において、ＰＣが通信手段１５、２５を介してテレビ兼ＰＣディスプレイ装置２と接続されている。ＰＣには、アプリケーションソフト１１、ＯＳ１２、通信デバイスドライバ１４、通信手段１５、入力デバイス１６が設けてある。また、テレビ兼ＰＣディスプレイ装置２には、画面２１、ＰＩＰ合成手段２２、ディスプレイマイコン２３、通信ハードウェア（Ｈ／Ｗ）２４、通信手段２５、ＰＣ入力手段３３、テレビ入力手段３４が設けてある。
【００２３】
アプリケーション１１は、ＰＩＰをはめ込むための枠を表示するテレビ子画面表示用のアプリケーションである。ＯＳ１２は、通信手段１５、２５を通じてターゲットウインドウの座標（枠部分）監視を行うものである。通信デバイスドライバ１４は、通信手段１５の駆動を行うものである。通信手段１５は、ＰＣ側のＤＤＣ、ＵＳＢ（Universal Serial Bus）、シリアルインタフェースなどの通信手段である。入力デバイス１６は、キーボード、マウス等の入力装置である。
【００２４】
画面２１は、液晶、ＣＲＴ、プラズマ等のディスプレイ画面である。ＰＩＰ合成手段２２は、テレビ表示をＰＩＰウインドウとして、ＰＣ表示の中のウインドウ（枠）にはめ込んで表示する処理を行うものである。ディスプレイマイコン２３は、ＰＩＰ合成手段２２を、通信手段を１５、２５を通じて得た制御信号に応動して制御せしめるものである。通信ハードウェア（Ｈ／Ｗ）２４は、通信手段２５の通信の制御を行うものである。通信手段２５は、テレビ兼ＰＣディスプレイ装置２側のＤＤＣ、ＵＳＢ、シリアルインタフェースなどの通信手段である。ＰＣ入力手段３３は、ＰＣからの信号が入力されるものである。テレビ入力手段３４は、テレビの信号が入力されるものである。
【００２５】
（制御コマンドの流れの説明）
ＰＣ側には、ＰＩＰをはめ込むための枠（ターゲットウインドウ）を表示するテレビ子画面表示用のアプリケーション１１があり、該アプリケーション１１の座標の監視をＯＳ１２で行なっている。例えば、枠の大きさを切り替える場合、ユーザは、入力デバイス１６で枠の大きさを切り替え指示（座標位置関係の指示）を行うと、ＯＳ１２は、枠の切り替えをアプリケーション１１に指示し、該指示はアプリケーション１１から通信デバイスドライバ１４から通信手段１５、２５、通信ハードウェア２４を通じてディスプレイマイコン２３にＰＣ入力手段３３とテレビ入力手段３４の座標位置関係の指示を出す。ＰＩＰ合成手段２２は、該指示に従ってＰＣ入力手段３３とテレビ入力手段３４とを合成して画面２１に表示する。
【００２６】
（３）：フローチャートによる説明
図４はアプリケーションの処理フローチャートである。以下、アプリケーション１１の処理を図４の処理Ｓ１〜Ｓ１１に従って説明する。
【００２７】
Ｓ１：アプリケーション１１は、この処理が始まると、モニタ（Monitor ）の準備ができているかどうか判断する。モニタの準備ができている場合は処理Ｓ２に移り、できていない場合は例外処理（例えば、対応しないモニタである等の警告処理）を行う。
【００２８】
Ｓ２：アプリケーション１１は、モニタの表示画面の初期値を読み込み、処理Ｓ３に移る。
【００２９】
Ｓ３：アプリケーション１１は、初期ウインドウの表示処理を行い、処理Ｓ４に移る。
【００３０】
Ｓ４：アプリケーション１１は、ＰＩＰウインドウの座標転送処理を行い、処理Ｓ５に移る。
【００３１】
Ｓ５：アプリケーション１１は、ＰＩＰウインドウの表示指示処理を行い、処理Ｓ６に移る。
【００３２】
Ｓ６：アプリケーション１１は、ＰＩＰウインドウの表示座標を取得し、処理Ｓ７に移る。
【００３３】
Ｓ７：アプリケーション１１は、ＰＩＰウインドウの移動又は大きさの変更が有るかどうか判断する。この判断で、ＰＩＰウインドウの移動又は大きさの変更が有る場合は処理Ｓ１１に移り、無い場合は処理Ｓ８に移る。
【００３４】
Ｓ８：アプリケーション１１は、このアプリケーションの処理が終了かどうか判断する。この判断で、アプリケーションの処理が終了の場合は処理Ｓ９に移り、終了で無い場合は処理Ｓ６に戻る。
【００３５】
Ｓ９：アプリケーション１１は、ＰＩＰウインドウの非表示指示処理を行い、処理Ｓ１０に移る。
【００３６】
Ｓ１０：アプリケーション１１は、ＰＩＰウインドウを破棄し、この処理を終了する。
【００３７】
Ｓ１１：アプリケーション１１は、次のＰＩＰウインドウ表示のため現在のＰＩＰウインドウの非表示指示処理を行い、処理Ｓ４に戻る。
【００３８】
なお、上記アプリケーションの処理で、処理Ｓ２〜Ｓ３は初期化処理、処理Ｓ４〜Ｓ５はＰＩＰウインドウの表示処理、処理Ｓ６〜Ｓ８はＯＳの指示により行うＧＵＩ（Graphical User Interface）監視処理となる。
【００３９】
（４）：ＰＣ側にテレビチューナを備える場合の説明
図５はＰＣ側にテレビチューナを備える場合の説明図である。図５において、ＰＣが通信手段１５、２５を介してＰＣディスプレイ装置（モニタ）２と接続されている。ＰＣには、テレビ（ＴＶ）チューナ１０、ＴＶ表示アプリケーション１１、通信デバイスドライバ１４、通信手段１５、ポインティングデバイス１６、ポインティングデバイス用ドライバ１７、グラフィカルユーザーインターフェース（ＧＵＩ）１８、ＧＵＩ座標監視プログラム１９が設けてある。また、ＰＣディスプレイ装置２には、画面２１、表示ハードウェア（Ｈ／Ｗ）２２、ＰＣディスプレイファームウェア２３、通信ハードウェア（Ｈ／Ｗ）２４、通信手段２５、ＰＣ入力手段３３、テレビ入力手段３４が設けてある。
【００４０】
テレビチューナ１０は、テレビアンテナからのテレビ信号の選択を行なうものである。また、このテレビ信号はＰＣの固定ディスク等に録画し、再生することもできる。ＴＶ表示アプリケーション１１は、ＰＩＰをはめ込むための枠を表示するテレビ子画面表示用のアプリケーションである。通信デバイスドライバ１４は、通信手段１５の駆動を行うものである。通信手段１５は、ＰＣ側のＤＤＣ、ＵＳＢ（Universal Serial Bus）、シリアルインタフェースなどの通信手段である。ポインティングデバイス１６は、キーボード、マウス等の入力装置である。ポインティングデバイス用ドライバ１７は、キーボード、マウス等の入力装置の駆動を行うものである。グラフィカルユーザーインターフェース（ＧＵＩ）１８は、アイコンとマウスによるメニュー選択機能やウインドウ機能等、ユーザーがディスプレイを使うときのグラフィック的な見え方と操作方法を提供するソフトウェアである。ＧＵＩ座標監視プログラム１９はターゲットウインドウの座標（枠部分）監視を行うものである。
【００４１】
画面２１は、液晶、ＣＲＴ、プラズマ等のディスプレイ画面である。表示ハードウェア２２は、テレビ表示をＰＩＰウインドウとして、ＰＣ表示（ＰＣ画面３１）の中のウインドウ（枠）３２にはめ込んで表示する処理を行うものである。ＰＣディスプレイファームウェア２３は、表示ハードウェア２２を、通信手段を１５、２５を通じて得た制御信号に応動して制御せしめるものである。通信ハードウェア２４は、通信手段２５の通信の制御を行うものである。通信手段２５は、ＰＣディスプレイ装置２側のＤＤＣ、ＵＳＢ、シリアルインタフェースなどの通信手段である。ＰＣ入力手段３３は、ＰＣからの信号が入力されるものである。テレビ入力手段３４は、テレビの信号が入力されるものである。
【００４２】
（動作説明）
ＰＣ側には、ＰＩＰをはめ込むための枠を表示するテレビ子画面表示用のアプリケーション（以下、アプリケーション）１１、該アプリケーションのＧＵＩ座標の監視を行うＧＵＩ座標監視プログラム１８並びに通信手段１５、２５をもち、該ＧＵＩ座標監視プログラムは該通信手段１５、２５を用いてＰＣディスプレイ装置２側のＰＩＰ表示手段（図中の表示ハードウェア２２）に対して、ＰＩＰ表示制御手段（図中のＰＣディスプレイファームウェア２３）を通じ、テレビ入力手段３４とＰＣ入力手段３３の座標位置関係の指示を出す。
【００４３】
座標監視プログラム１９は、座標位置関係のみならず、ユーザーのマウス操作によるＧＵＩ制御に応じてアプリケーションプログラムの起動、終了等も監視し、逐次ＰＣディスプレイ装置２側にＰＩＰ表示の有無、位置、大きさを指示する。
【００４４】
ＰＣと、その画像表示のために接続されているＰＣディスプレイ装置２の間でデータをやり取りすることのできるデータ通信手段１５、２５と、ＰＣディスプレイ装置２の表示部分において、ＰＣの信号に対して、テレビ信号を縮小して重ね合わせる機能（ＰＩＰ）とを備え、ＰＣより、該通信手段１５、２５を通じて、コマンドおよびデータを通信し、ＰＣディスプレイ装置２側でのＰＩＰ表示の有無、位置、座標、画質補正パラメータ等を任意にＰＣから制御できるが、その位置制御は、ＰＣのＧＵＩ１８を用いて、マウスポインタなどでクリック、ドラッグすることでユーザーが任意にそのＰＩＰ子画面位置や大きさを制御できるようにする。
【００４５】
ＰＩＰ子画面機能の搭載されたＲＧＢディスプレイは過去より存在するが、ＰＩＰ子画面部分のＲＧＢ映像は子画面の裏側に隠れてしまい見ることが出来ない。このため、その子画面位置を、変更したり移動したりすることが可能なものがあるが、その操作は、ディスプレイに具備された操作ボタンや、赤外線リモコンなどから行うのが一般的であって、その操作方法及び手段は煩雑且つ制限が多く、ユーザーフレンドリでない。しかし、この発明によれば、例えばマウス等のＰＣに具備されたポインティングデバイスなどにより、その位置や大きさを変更することが可能で、あたかもＰＣの１ＧＵＩアプリケーションのように操作することが出来る。ＰＣ作業中の一連の操作と同様の体系で表示位置、大きさを制御することができ、非常に利便性が高い。
【００４６】
また、接続されたＰＣからのコマンドにて、任意の座標位置にＰＩＰ画面を表示できる手段を具備するＰＣディスプレイ装置２において、ＰＩＰ子画面の映像画素データと、バックグラウンドのＲＧＢ映像の画素データとを、重み付け加算（例えば、ＰＣの信号を１の重みに対してテレビ信号を２の重みにして加算）して表示することで、半透明表示とし、ＰＩＰ子画面がオーバーレイ表示されてもＲＧＢ映像上のＧＵＩコンポーネントを透過的に視認できるようにすることができる。
【００４７】
これによれば、そのＰＩＰ子画面を半透明化することで、ＰＩＰ子画面によりＲＧＢ映像が遮断されることが無く、子画面を表示したままＲＧＢ映像の全域を有効利用することができる。
【００４８】
さらに、接続されたＰＣからのコマンドにて、任意の座標位置にＰＩＰ画面を表示できる手段を具備するＰＣディスプレイ装置２と、そのＰＣディスプレイ装置２に接続されるＰＣであって、前記図２のテレビ兼ＰＣディスプレイ装置と同様に別途テレビジョン信号を受像（テレビチューナ１０）して、そのグラフィック映像処理手段に重ね合わせ、任意の画面位置で任意のサイズに（オーバーレイ）表示でき、さらに、該ＰＣの大容量記憶装置（固定ディスク）等に、受信した映像データを録画、保存、再生表示するＰＶＲ（Personal Video Recorder ）機能を備えるＰＣと接続することで、２つの違うテレビ番組を、同時にひとつのＰＣ画面に表示（一つはテレビ入力手段３４から子画面に、他はＰＣ入力手段３３からＰＣ画面に表示）できる。なお、ＰＣからのテレビの受信画像はウインドウ表示であるため全画面（親画面）表示や子画面表示等、その位置、大きさ等を自由に変更できる。
【００４９】
これによれば、現状、ＰＣでのテレビ機能は、さまざまな制約から一度に一つの受信画像しか表示できないものであるが、接続されるＰＣディスプレイ装置（モニタ）にテレビ機能を有することで、一意のＰＣ操作により、ひとつのＰＶＲアプリケーションにて、２つのテレビ番組を同時に表示でき、また、テレビチューナ１０によりＰＣの大容量記憶装置である固定ディスクに録画することも可能になる。
【００５０】
以上のように、ＰＣディスプレイ装置にＰＣからのコマンドにて、任意の座標位置にＰＩＰ画面を表示できる手段を具備するものであるが、他のテレビの操作（リモコン等の操作信号等）をＰＣからの信号（コマンド）で行うことも容易にできる。
【００５１】
（５）：プログラムインストールの説明
テレビ信号の受像手段１０ａ、アプリケーションソフト（ＴＶ表示アプリケーション）１１、ＰＩＰ制御手段１１ａ、ＯＳ１２、通信デバイスドライバ１４、通信手段１５、１５ａ、２５、ポインティングデバイス用ドライバ１７、ＧＵＩ１８、ＧＵＩ座標監視プログラム１９、録画・再生手段２０ａ、画像合成処理部（ＰＩＰ合成手段）２２、ＰＩＰ表示手段２２ａ、ＰＣディスプレイファームウェア２３、コンピュータ入力手段３３ａ、テレビ入力手段３４等はプログラムで構成でき、主制御部（ＣＰＵ）が実行するものであり、主記憶に格納されているものである。このプログラムは、コンピュータで処理されるものである。このコンピュータは、主制御部、主記憶、ファイル装置、表示装置や印刷装置等の出力装置、入力装置などのハードウェアで構成されている。
【００５２】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。これにより、ユーザーが任意にそのＰＩＰ画面の位置や大きさを制御することができるコンピュータを容易に提供することができる。
【００５３】
【発明の効果】以上説明したように、本発明によれば次のような効果がある。
【００５４】
（１）：制御手段で、通信手段を介して、表示手段が表示する位置の制御を行うため、制御装置側から、マウスポインタ等でクリック、ドラッグすることでユーザが任意にその子画面位置や大きさを制御することができる。
【００５５】
（２）：制御手段で、通信手段を介して、表示手段が表示する映像画素データとバックグラウンドの制御装置からの画素データとを重み付け加算して表示する制御を行うため、子画面で隠された親画面（バックグラウンド）を容易に確認することができる。
【００５６】
（３）：制御手段で、通信手段を介して、表示手段が表示する映像と制御装置からの映像の信号とで、一つの画面に２つの異なる番組を同時に表示するため、一意の制御装置操作により、２つの番組を同時に表示することができる。
【００５７】
（４）：制御手段で、通信手段を介して、表示手段が表示する映像と制御装置からの再生映像の信号とで、一つの画面に２つの異なる番組を同時に表示するため、２つの番組を同時に表示することができ、さらに制御装置側で番組の録画をすることも可能になる。
【００５８】
（５）：受信した信号を重ね合わせて表示する表示手段を有する表示装置と通信する通信手段と、前記通信手段を介して、表示手段が表示する位置、該表示の有無の制御を行う制御手段として、制御装置を機能させるためのプログラム又はプログラムを記録したコンピュータ読取可能な記録媒体とするため、このプログラムをコンピュータにインストールすることで、ユーザーが任意にその画面（子画面）位置や大きさを制御することができる制御装置を容易に提供することができる。
【図面の簡単な説明】
【図１】本発明の原理説明図である。
【図２】実施の形態におけるテレビ制御機能を備えるパーソナルコンピュータの説明図である。
【図３】実施の形態におけるＰＣアプリケーションからテレビ兼ＰＣディスプレイ装置への制御コマンドの流れの説明図である。
【図４】実施の形態におけるアプリケーションの処理フローチャートである。
【図５】実施の形態におけるＰＣ側にテレビチューナを備える場合の説明図である。
【符号の説明】
１ａ  コンピュータ
２ａ  表示装置
１０ａ  テレビ信号の受像手段
１１ａ  ＰＩＰ制御手段
１５ａ  通信手段
２０ａ  録画・再生手段
２１  画面
２２ａ  ＰＩＰ表示手段
３３ａ  コンピュータ入力手段
３４  テレビ入力手段
【図１】
2006049935.tif 000003
【図２】
2006049935.tif 000004
【図３】
2006049935.tif 000005
【図４】
2006049935.tif 000006
【図５】
2006049935.tif 000007